(57)【要約】【課題】あおり検版の原理を用いた検版を可能としつつ、かつ、検版における紙の使用量を削減する。【解決手段】画像表示装置は、画像を表示可能かつ第１の原稿を裁置可能な画像表示面を有する表示部と、前記第１の原稿の修正前もしくは修正後の原稿である第２の原稿の原稿データを記憶する記憶部と、前記画像表示面上において前記第２の原稿の画像が表示される領域であって、前記第１の原稿が裁置される領域である表示領域を決定し、前記記憶部に記憶された前記原稿データと、決定された前記表示領域とに基づいて、前記表示部に前記第２の原稿の画像を表示させる表示制御部とを備える。【選択図】図１
2011124828.tif 000002
【特許請求の範囲】
【請求項１】
画像表示装置であって、
画像を表示可能かつ第１の原稿を裁置可能な画像表示面を有する表示部と、
前記第１の原稿の修正前もしくは修正後の原稿である第２の原稿の原稿データを記憶する記憶部と、
前記画像表示面上において前記第２の原稿の画像が表示される領域であって、前記第１の原稿が裁置される領域である表示領域を決定し、前記記憶部に記憶された前記原稿データと、決定された前記表示領域とに基づいて、前記表示部に前記第２の原稿の画像を表示させる表示制御部と、
を備える、画像表示装置。
【請求項２】
請求項１記載の画像表示装置であって、
前記表示領域は、
前記原稿データに含まれる用紙サイズに関する情報、もしくは、前記原稿データを印刷した際の印刷履歴に含まれる印刷時の用紙サイズに関する情報のうちの少なくとも一方に基づいて決定される、画像表示装置。
【請求項３】
請求項１または２記載の画像表示装置であって、さらに、
前記第１の原稿の印刷用紙の色を取得する紙白取得部を備え、
前記表示制御部は、さらに、
前記印刷用紙の色に基づいて、前記表示部に表示させる画像のホワイトバランス調整を実行する、画像表示装置。
【請求項４】
請求項１ないし３のいずれか一項記載の画像表示装置であって、さらに、
前記第２の原稿の画像の部分表示に関する条件である部分表示条件を取得する部分表示条件取得部を備え、
前記表示制御部は、
前記記憶部に記憶された前記原稿データと、前記部分表示条件とに基づいて、前記表示部に、前記第２の原稿の画像の文字部分もしくは画像部分のうちの少なくとも一部を表示させ、他の部分を表示させない、画像表示装置。
【請求項５】
請求項１ないし４のいずれか一項記載の画像表示装置であって、さらに、
前記第２の原稿の画像の表示領域の選択に関する条件である表示領域条件を取得する表示領域条件取得部を備え、
前記表示制御部は、
前記記憶部に記憶された前記原稿データと、前記表示領域条件とに基づいて、前記表示部に、前記第２の原稿の画像の少なくとも一部の領域を表示させ、他の領域を表示させない、画像表示装置。
【請求項６】
請求項１ないし５のいずれか一項記載の画像表示装置であって、
前記表示制御部は、さらに、
前記原稿データに含まれる前記原稿データの変更箇所に関する情報を取得し、前記表示部に前記第２の原稿の画像を表示させる際に、併せて前記変更箇所に関する情報を示す画像をハイライト表示させる、画像表示装置。
【請求項７】
請求項１ないし６のいずれか一項記載の画像表示装置であって、さらに、
前記表示部に表示される画像を調整するためのパラメーターであって、明るさ、コントラスト、表示サイズ、表示位置、表示方向のうちの少なくとも１つ以上を含む調整パラメーターを取得するパラメーター取得部を備え、
前記表示制御部は、さらに、
前記調整パラメーターに基づいて、前記表示部に表示させる画像を調整する、画像表示装置。
【請求項８】
請求項１ないし７のいずれか一項記載の画像表示装置であって、
前記表示部は、
前記画像表示面としてのスクリーンと、
前記スクリーンに対して画像を投写することにより前記スクリーンに画像を表示する投写部と、
を備える、画像表示装置。
【請求項９】
画像表示方法であって、
（ａ）第１の原稿を裁置可能な画像表示面に画像を表示する工程と、
（ｂ）前記第１の原稿の修正前もしくは修正後の原稿である第２の原稿の原稿データを記憶する工程と、
（ｃ）前記画像表示面上において前記第２の原稿の画像が表示される領域であって、前記第１の原稿が裁置される領域である表示領域を決定し、記憶された前記原稿データと、決定された前記表示領域とに基づいて、前記第２の原稿の画像を表示させる工程と、
を備える、画像表示方法。
【請求項１０】
コンピュータープログラムであって、
第１の原稿を裁置可能な画像表示面に画像を表示する表示機能と、
前記第１の原稿の修正前もしくは修正後の原稿である第２の原稿の原稿データを記憶する記憶機能と、
前記画像表示面上において前記第２の原稿の画像が表示される領域であって、前記第１の原稿が裁置される領域である表示領域を決定し、記憶された前記原稿データと、決定された前記表示領域とに基づいて、前記第２の原稿の画像を表示させる表示制御機能と、
を実現する、コンピュータープログラム。
【発明の詳細な説明】
【技術分野】
【０００１】
本発明は、画像表示装置、画像表示システムおよび画像表示方法に関する。
【背景技術】
【０００２】
従来、印刷工程における印刷用刷版を作製する過程で行われる検版作業を補助するため、修正前及び修正後の２枚の原版フィルムの画像を読み込んでそれぞれ比較する検版装置が知られている（例えば、特許文献１）。
【先行技術文献】
【特許文献】
【０００３】
【特許文献１】特開平７−２７１００９号公報
【発明の概要】
【発明が解決しようとする課題】
【０００４】
しかし、この技術では、印刷用刷版のサイズに比例してシステムが巨大化し、高価になるという問題があった。
【０００５】
一方、一般的な検版作業の方法として「あおり検版」と呼ばれる手法が知られている。あおり検版は、印刷用刷版の原稿について、修正前の原稿の印刷物と、修正後の原稿の印刷物とを同じ位置に重ね、あおりによる残像を利用し、目視で文字や画像の誤りを確認する手法である。しかし、このあおり検版では、修正前後における原稿の印刷物を必要とするため、検版における紙の使用量が多くなるという問題があった。
【０００６】
本発明は、あおり検版の原理を用いた検版を可能としつつ、かつ、検版における紙の使用量を削減することを目的とする。
【課題を解決するための手段】
【０００７】
本発明は、上述の課題の少なくとも一部を解決するためになされたものであり、以下の形態又は適用例として実現することが可能である。
【０００８】
［適用例１］
画像表示装置であって、画像を表示可能かつ第１の原稿を裁置可能な画像表示面を有する表示部と、前記第１の原稿の修正前もしくは修正後の原稿である第２の原稿の原稿データを記憶する記憶部と、前記画像表示面上において前記第２の原稿の画像が表示される領域であって、前記第１の原稿が裁置される領域である表示領域を決定し、前記記憶部に記憶された前記原稿データと、決定された前記表示領域とに基づいて、前記表示部に前記第２の原稿の画像を表示させる表示制御部と、を備える、画像表示装置。
この構成によれば、画像表示面上の表示領域には、第２の原稿の画像が表示されるとともに、第１の原稿を裁置することができる。このため、画像表示面上においてあおり検版の原理を用いた検版を可能としつつ、かつ、検版における紙の使用量を削減することができる。
【０００９】
［適用例２］
適用例１記載の画像表示装置であって、前記表示領域は、前記原稿データに含まれる用紙サイズに関する情報、もしくは、前記原稿データを印刷した際の印刷履歴に含まれる印刷時の用紙サイズに関する情報のうちの少なくとも一方に基づいて決定される、画像表示装置。
この構成によれば、原稿データに含まれる用紙サイズに関する情報と原稿データを印刷した際の印刷履歴に含まれる印刷時の用紙サイズに関する情報のうちの少なくとも一方に基づいて、表示部に表示される第２の画像の表示領域、すなわち、第１の原稿が裁置される領域が決定されるため、画像表示装置を用いた検版作業における利便性を向上させることができる。
【００１０】
［適用例３］
適用例１または２記載の画像表示装置であって、さらに、前記第１の原稿の印刷用紙の色を取得する紙白取得部を備え、前記表示制御部は、さらに、前記印刷用紙の色に基づいて、前記表示部に表示させる画像のホワイトバランス調整を実行する、画像表示装置。
この構成によれば、第１の原稿の印刷用紙の色を取得し、取得した色に基づいて、表示部に表示される画像のホワイトバランス調整を行うことができる。この結果、画像表示装置を用いた検版作業における利便性を向上させることができる。
【００１１】
［適用例４］
適用例１ないし３のいずれか一項記載の画像表示装置であって、さらに、前記第２の原稿の画像の部分表示に関する条件である部分表示条件を取得する部分表示条件取得部を備え、前記表示制御部は、前記記憶部に記憶された前記原稿データと、前記部分表示条件とに基づいて、前記表示部に、前記第２の原稿の画像の文字部分もしくは画像部分のうちの少なくとも一部を表示させ、他の部分を表示させない、画像表示装置。
この構成によれば、部分表示条件を取得し、取得した部分表示条件に基づいて、表示部に第２の原稿の画像の文字部分もしくは画像部分のうちの少なくとも一部を表示させることができる。この結果、画像表示装置を用いた検版作業における利便性を向上させることができる。
【００１２】
［適用例５］
適用例１ないし４のいずれか一項記載の画像表示装置であって、さらに、前記第２の原稿の画像の表示領域の選択に関する条件である表示領域条件を取得する表示領域条件取得部を備え、前記表示制御部は、前記記憶部に記憶された前記原稿データと、前記表示領域条件とに基づいて、前記表示部に、前記第２の原稿の画像の少なくとも一部の領域を表示させ、他の領域を表示させない、画像表示装置。
この構成によれば、表示領域条件を取得し、取得した表示領域条件に基づいて、表示部に第２の原稿の画像の少なくとも一部の領域を表示させることができる。この結果、画像表示装置を用いた検版作業における利便性を向上させることができる。
【００１３】
［適用例６］
適用例１ないし５のいずれか一項記載の画像表示装置であって、前記表示制御部は、さらに、前記原稿データに含まれる前記原稿データの変更箇所に関する情報を取得し、前記表示部に前記第２の原稿の画像を表示させる際に、併せて前記変更箇所に関する情報を示す画像をハイライト表示させる、画像表示装置。
この構成によれば、原稿データに含まれる原稿データの変更箇所に関する情報を取得し、表示部に原稿の画像と併せて、変更箇所に関する情報を示す画像をハイライト表示させることができる。この結果、画像表示装置を用いた検版作業における利便性を向上させることができる。
【００１４】
［適用例７］
適用例１ないし６のいずれか一項記載の画像表示装置であって、さらに、前記表示部に表示される画像を調整するためのパラメーターであって、明るさ、コントラスト、表示サイズ、表示位置、表示方向のうちの少なくとも１つ以上を含む調整パラメーターを取得するパラメーター取得部を備え、前記表示制御部は、さらに、前記調整パラメーターに基づいて、前記表示部に表示させる画像を調整する、画像表示装置。
この構成によれば、表示部に表示される画像を調整するための調整パラメーターを取得し、取得した調整パラメーターに基づいて、画像表示面に表示される画像を調整することができる。この結果、画像表示装置を用いた検版作業における利便性を向上させることができる。
【００１５】
［適用例８］
適用例１ないし７のいずれか一項記載の画像表示装置であって、前記表示部は、前記画像表示面としてのスクリーンと、前記スクリーンに対して画像を投写することにより前記スクリーンに画像を表示する投写部と、を備える、画像表示装置。
この構成によれば、表示部として、スクリーンと、プロジェクターを用いることができる。
【００１６】
なお、本発明は、種々の態様で実現することが可能である。例えば、本発明は、画像表示装置、画像表示システム、画像表示方法のほか、それらの方法または装置の機能を実現するためのコンピュータープログラム、そのコンピュータープログラムを記録した記憶媒体等の形態で実現することができる。コンピューター読み取り可能な記録媒体としては、例えば、ＣＤ−ＲＯＭや、ＤＶＤ、ハードディスクなどの実体的な記録媒体を採用可能である。
【図面の簡単な説明】
【００１７】
【図１】本発明の第１実施例における画像表示装置の構成を概略的に示す説明図である。
【図２】図１のＰＣの構成を概略的に示す説明図である。
【図３】図１のプロジェクターの構成を概略的に示す説明図である。
【図４】画像表示装置の処理の手順を示すフローチャートである。
【図５】第１実施例における原稿データの指定方法（図４：ステップＳ１２０）の一例を示す説明図である。
【図６】第１実施例における原稿データの指定方法（図４：ステップＳ１２０）の他の例を示す説明図である。
【図７】画像投写処理の手順を示すフローチャートである。
【図８】画像表示装置を用いた検版の様子を示す説明図である。
【図９】本発明の第２実施例におけるＰＣの構成を概略的に示す説明図である。
【図１０】第２実施例における画像表示装置の処理の手順を示すフローチャートである。
【図１１】第２実施例における領域指定方法（図１０：ステップＳ３１０）の一例を示す説明図である。
【図１２】第２実施例における画像表示装置を用いた検版の様子を示す説明図である。
【発明を実施するための形態】
【００１８】
次に、本発明の実施の形態を実施例に基づいて以下の順序で説明する。
【００１９】
Ａ．第１実施例：
図１は、本発明の第１実施例における画像表示装置の構成を概略的に示す説明図である。画像表示装置１０は、印刷用刷版の検版（修正前の印刷用刷版と修正後の印刷用刷版の原稿とを比較して検査する作業）において用いられる。本実施例における画像表示装置１０は、作業台２０と、カメラ３０と、ディスプレイ４０と、操作板５０と、プロジェクター６０と、パーソナルコンピューター（以降、「ＰＣ」とも呼ぶ。）７０と、を備えている。
【００２０】
作業台２０は、板状部材の天板を備えている。この天板は、少なくとも一部の面にスクリーンＳＣを備えている。画像表示面としてのスクリーンＳＣは、背面からの投写に適した透過型スクリーンであることが好ましい。また、スクリーンＳＣは、画像が表示される領域である表示領域ＡＲに重ねて、原稿ＦＤを裁置可能なように水平であることが好ましい。本実施例における原稿ＦＤは、印刷用刷版の原稿であって、修正が行われる前の原稿の印刷物である。なお、原稿ＦＤのことを「第１の原稿」とも呼ぶ。紙白取得部としてのカメラ３０は、作業台２０の上面に裁置された原稿ＦＤの画像データを取得する。カメラ３０は、例えば、ＵＳＢインターフェースを用いてＰＣ７０に接続されている。
【００２１】
ディスプレイ４０は、ＰＣ７０からの画像信号を受信して画面上に画像を表示する。ディスプレイ４０は、例えば、ＶＧＡ端子等の画像入力インターフェースを用いてＰＣ７０に接続されている。操作板５０は、利用者が画像表示装置１０に対して行う各種の操作の入力を受け付ける。操作板５０には、各種の操作の入力を行うためのボタンが複数配置されている。操作板５０は、例えば、ＵＳＢインターフェースを用いてＰＣ７０に接続されている。投写部としてのプロジェクター６０は、作業台２０の下部に配置されており、作業台２０のスクリーンＳＣの下面（すなわち、原稿ＦＤが裁置される側とは逆側の面）から、スクリーンＳＣに向かって画像を投写することにより、スクリーンＳＣに画像を表示する。プロジェクター６０は、例えば、ＲＧＢ端子等の画像入力インターフェースを用いてＰＣ７０に接続されている。なお、スクリーンＳＣと、プロジェクター６０とは、表示部として機能する。
【００２２】
ＰＣ７０は、前述した画像表示装置１０の各部を制御する機能を有する。詳細は後述する。なお、前述の各部とＰＣ７０とが接続される手段はあくまで例示であり、任意の手段を採用することができる。例えば、有線通信における例示した以外の他のインターフェースを用いることとしてもよい。また、無線通信を用いて情報通信可能に接続されるものとしてもよい。
【００２３】
図２は、図１のＰＣ７０の構成を概略的に示す説明図である。ＰＣ７０は、ディスプレイインターフェース１１０と、ＣＰＵ１２０と、シリアルインターフェース１３０と、ＲＯＭ１４０と、ＲＡＭ１５０と、ＵＳＢインターフェース１６０と、ネットワークインターフェース１７０と、ハードディスク１８０と、を含んでいる。ＰＣ７０の各構成要素は、バスを介して互いに接続されている。
【００２４】
ＰＣ７０のディスプレイインターフェース１１０には、ディスプレイ４０が接続されている。ＰＣ７０は、利用者が画像表示装置１０を操作するための操作画面を、ディスプレイインターフェース１１０を介してディスプレイ４０に表示させる。なお、この操作画面は、プロジェクター６０を用いてスクリーンＳＣに表示させることも可能である。この場合、ディスプレイ４０を省略可能な点において好ましい。ＣＰＵ１２０は、ＲＯＭ１４０に格納されている各機能部を実現するためのコンピュータープログラムを実行することにより、ＰＣ７０およびＰＣ７０に接続されている各部の全体の動作を制御する制御部として機能する。シリアルインターフェース１３０には、入力装置としてのキーボードＫＢおよびマウスＭＯＵが接続されている。ＵＳＢインターフェース１６０には、カメラ３０と、操作板５０と、プロジェクター６０とが接続されている。ＰＣ７０は、ディスプレイ４０に表示された操作画面に対する操作を、操作板５０からの入力として受け付ける。
【００２５】
記憶部としてのハードディスク１８０には、ファイル１８２と、印刷履歴１８４と、表示順序情報１８５とが格納されている。ファイル１８２は、印刷用刷版の原稿であって、修正が行われた後の原稿（以降、「第２の原稿」とも呼ぶ。）の原稿データを含むファイルである。すなわち、ファイル１８２は、原稿ＦＤ（図１）の修正後の原稿データを含むファイルである。印刷履歴１８４は、ＰＣ７０に接続されている図示しないプリンターを使用して行われた印刷の履歴を示す情報である。印刷履歴１８４には、例えば、印刷時におけるＰＣ７０へのログイン名、印刷対象となったファイルを識別するための情報（ファイル名等）、印刷日時、印刷枚数、印刷に使用された用紙のサイズ等の情報が含まれている。表示順序情報１８５は、表示制御部１４１がプロジェクター６０に対して画像を表示させる際に使用する情報である。詳細は後述する。
【００２６】
ＲＯＭ１４０には、表示制御部１４１と、紙白取得部１４２と、パラメーター取得部１４３と、部分表示条件取得部１４４とを含んでいる。表示制御部１４１は、ハードディスク１８０に記憶された原稿データ（ファイル１８２）に基づいて、スクリーンＳＣに原稿の画像を表示させる機能を有する。
【００２７】
紙白取得部１４２は、作業台２０に裁置された原稿ＦＤの画像データを、カメラ３０を用いて取得し、取得した印刷データから原稿ＦＤの印刷用紙の色（以降、「紙白色」とも呼ぶ。）を求め、表示制御部１４１へ送信する機能を有する。例えば、紙白色の取得は、次のようにして行うことができる。紙白取得部１４２は、予め、原稿ＦＤが裁置される前の画像データをカメラ３０により取得しておく。紙白取得部１４２は、原稿ＦＤが裁置される前の画像データと、原稿ＦＤが裁置された後の画像データとを比較することにより、紙領域を特定する。紙白取得部１４２は、特定した紙領域内のうちの最も明るい（明度の高い）領域の色を紙白色とすることができる。なお、紙白色は、上述のような方法により求めるほか、測色器を使用して求めるものとしてもよい。さらには、画像表示装置１０の利用者が、例えばカラーパレットを備えたＧＵＩ（Ｇｒａｐｈｉｃａｌ Ｕｓｅｒ Ｉｎｔｅｒｆａｃｅ）を用いて、直接入力することが可能な構成とすることもできる。
【００２８】
パラメーター取得部１４３は、スクリーンＳＣに表示される画像を調整するためのパラメーターとして、操作板５０から入力される値を取得する機能を有する。この調整パラメーターとしては、例えば、明るさ、コントラスト、表示サイズ、表示位置の指定（デフォルト表示領域からの上下左右方向への移動）、表示方向の指定（デフォルト表示方向からの反転や回転）、カラーバランス調整、シャープネス、色補正等を採用することができる。また、画像表示装置１０の利用者が調整パラメーターの指定を行う際に用いる（ディスプレイ４０に表示される）ＧＵＩには、任意のものを採用することができる。部分表示条件取得部１４４は、スクリーンＳＣに表示される画像の部分表示に関する条件（以降「部分表示条件」とも呼ぶ。）を指定するために操作板５０から入力される値を取得する機能を有する。
【００２９】
図３は、図１のプロジェクター６０の構成を概略的に示す説明図である。プロジェクター６０は、ＣＰＵ２０５と、アナログ画像信号入力部２１０と、画像処理部２２０と、フレームメモリー２２５と、液晶ライトバルブ駆動部２３０と、液晶ライトバルブ２３５と、ＵＳＢインターフェース部２４０と、ハードディスク２４５と、ＲＯＭ／ＲＡＭ２５０と、リモコン信号処理部２５５と、メモリー媒体制御部２６０と、照明光学系３００と、投写光学系３０５と、を備えている。また、液晶ライトバルブ駆動部２３０、液晶ライトバルブ２３５、照明光学系３００、投写光学系３０５を除く各部は、バス２０５ｂで接続されている。
【００３０】
ＣＰＵ２０５は、プロジェクター６０の各部を制御する機能を有する。アナログ画像信号入力部２１０は、ＰＣ７０からアナログ画像信号ＡＶ１（例えば、ＰＣ７０から供給されたコンピューター画像を表すＲＧＢ信号）が供給された場合に、アナログ画像信号ＡＶ１をＡＤ変換し、画像処理部２２０に対してデジタル画像データＤＶ１を出力する。ＵＳＢインターフェース部２４０は、ＰＣ７０から供給される任意の種類のデータファイルＡＦを受け取る機能を有する。メモリー媒体制御部２６０は、メモリー媒体ＭＳに格納されたデータファイルを読み取る機能を有する。メモリー媒体ＭＳには種々のものが利用可能である。リモコン信号処理部２５５は、リモコン４００からの制御信号に基づいてプロジェクター６０の各部の機能を制御する。ＲＯＭ／ＲＡＭ２５０は、供給されたデータファイルＡＦを格納するための記憶領域と、データファイルＡＦから画像データを取得するためのリーダー２５１と、を備える。リーダー２５１は、データファイルＡＦの拡張子やヘッダの情報等からデータファイルＡＦの種類を判別し、アプリケーションのデータ形式に沿ってファイルの内容を解析し、画像データを取得する。リーダー２５１は、取得した画像データを画像処理部２２０に供給する。
【００３１】
画像処理部２２０は、入力された画像データに対して、色空間を指定する色空間マトリクス値、指定する色空間に対する補正値、コントラスト、カラーバランス調整、シャープネス、色補正といった画質調整を行う機能を有する。なお、画像処理部２２０における画質調整は省略可能である。画像処理部２２０は、画質調整が行われた画像データをフレームメモリー２２５に一旦書き込む。そして、画像表示の要求があった場合に、フレームメモリー２２５に書き込まれた画像データを読み出し、デジタル画像データＤＶ２を液晶ライトバルブ駆動部２３０へ供給する。液晶ライトバルブ駆動部２３０は、画像データＤＶ２に応じて、画像表示データＳＤを生成する。液晶ライトバルブ２３５は、画像表示データＳＤに基づいて駆動される。このとき、液晶ライトバルブ２３５は、照明光学系３００からの光を変調し、画像を表す画像光を形成する。液晶ライトバルブ２３５は、照明光学系３００によってほぼ均一に照明されており、液晶ライトバルブ２３５において形成された画像光は、投写光学系３０５によってスクリーンＳＣに投写される。なお、図３において、照明光学系３００、投写光学系３０５の図示は簡略化されている。
【００３２】
図４は、画像表示装置１０の処理の手順を示すフローチャートである。ステップＳ１１０において表示制御部１４１は、操作板５０に操作があるか否かを判定する。操作板５０に操作がない場合、ステップＳ１１０に戻る。操作板５０に操作がある場合、ステップＳ１２０において条件取得部としての表示制御部１４１は、原稿データの指定があるか否かを判定する。原稿データの指定方法については後述する。
【００３３】
図５は、第１実施例における原稿データの指定方法（図４：ステップＳ１２０）の一例を示す説明図である。図５（Ａ）は、ハードディスク１８０に格納されているファイル１８２の一例を示している。ハードディスク１８０には、図５（Ａ）のように、異なる印刷用刷版の原稿であって、修正が行われた後の原稿（第２の原稿）の原稿データを記憶した５つのファイル１８２ａ〜ｅが格納されている。
【００３４】
図５（Ｂ）は、原稿データの指定についての説明図である。画像表示装置１０の利用者は、操作板５０を操作することによって、表示すべきファイルと、その表示順序とを指定する。図５（Ｂ）の例では、１ページ目にファイル１８２ｂ、２ページ目にファイル１８２ａ、３ページ目にファイル１８２ｃを表示することが指定されている。原稿データの指定を受け付けると、条件取得部としての表示制御部１４１は、指定された表示ファイルを識別するための情報（以降、「ファイル識別子」とも呼ぶ。ファイル識別子には、例えば、ファイルパス等がある。）と、表示順序とを、表示順序情報１８５として記憶させる（図４：ステップＳ１２１）。なお、利用者が原稿データの指定を行う際に用いる（ディスプレイ４０に表示される）ＧＵＩには、任意の項目等を採用することができる。
【００３５】
図４のステップＳ１２２において表示制御部１４１は、表示順序情報１８５から最初（１ページ目）に表示すべき原稿のファイル識別子を取得する。そして、表示制御部１４１は、ファイル識別子に基づいた原稿データの画像投写処理を行った後、ステップＳ１１０へ遷移する。なお、画像投写処理についての詳細は後述する。
【００３６】
ステップＳ１３０において表示制御部１４１は、ページ送り指示の有無を判定する。具体的には、表示制御部１４１は、ステップＳ１１０において検知した操作板５０への入力が、ページ送りを指示するものであるか否かを判定する。ページ送り指示がある場合、ステップＳ１３１において表示制御部１４１は、ハードディスク１８０に格納されている表示順序情報１８５を読み出し、次に表示すべき原稿のファイル識別子を取得する。次に、ステップＳ１３２において表示制御部１４１は、ステップＳ１３１で取得したファイル識別子に基づいた原稿データの画像投写処理を行った後、ステップＳ１１０へ遷移する。図５（Ｃ）は、ページ送りの一例を示している。
【００３７】
なお、ページ送り指示は、前述のように、画像表示装置１０の利用者が操作板５０を用いて手動で行う方法の他、自動で行う方法も採用可能である。自動で行う場合、表示制御部１４１は、予め定められた設定値に基づいて自動でページ送り指示が発行されたものとしてステップＳ１３１、Ｓ１３２の制御を行う。なお、設定値は、例えば、図５（Ｂ）で説明した原稿データの指定の際、ファイル毎の表示時間を併せて設定可能な構成を採用することによって取得することができる。
【００３８】
図４のステップＳ１４０において表示制御部１４１は、画像の調整指示の有無を判定する。具体的には、表示制御部１４１は、パラメーター取得部１４３からの調整パラメーターの送信があるか否かを判定する。画像の調整指示がある場合、ステップＳ１４１において表示制御部１４１は、調整パラメーターを取得する。次に、ステップＳ１４２において表示制御部１４１は、ステップＳ１４１で取得した調整パラメーターに基づいて、現在表示されている原稿データの再画像投写処理を行う。再画像投写処理の処理内容は、画像投写処理と同様である。なお、この調整パラメーターによる画像の調整は、例えば、ページ送り指示（ステップＳ１３０）による新たな画像投写処理が行われた際にリセットする構成としてもよい（リセットせず、新たな画像投写処理後も調整パラメーターを引き継ぐ構成とすることもできる）。再画像投写処理の終了後、表示制御部１４１は、ステップＳ１１０へ遷移する。
【００３９】
ステップＳ１５０において表示制御部１４１は、差分の表示指示の有無を判定する。具体的には、表示制御部１４１は、ステップＳ１１０において検知した操作板５０への入力が、差分の表示を指示するものであるか否かを判定する。差分の表示指示がある場合、ステップＳ１５１において表示制御部１４１は、現在表示されている原稿データの再画像投写処理を行う。再画像投写処理の処理内容は、画像投写処理と同様である。再画像投写処理の終了後、表示制御部１４１は、ステップＳ１１０へ遷移する。
【００４０】
図６は、第１実施例における原稿データの指定方法（図４：ステップＳ１２０）の他の例を示す説明図である。ハードディスク１８０に格納されているファイル１８２の一例は、図５（Ａ）で説明したものと同様である。図６（Ａ）は、ファイル１８２ｂの原稿データの一例を示す説明図である。図６（Ａ）に示すようにファイル１８２ｂは、１つのテキストデータからなる文字データ部ＷＤと、２つの画像データからなる画像データ部ＧＦ１と、ＧＦ２とを含んでいる。
【００４１】
図６（Ｂ）は、原稿データの指定についての説明図である。画像表示装置１０の利用者は、操作板５０を操作することによって、表示すべきファイルと、そのファイル中の部分表示に関する条件（以降、「部分表示条件」とも呼ぶ。）と、表示順序とを指定する。図６（Ｂ）の例では、部分表示条件として、１ページ目にファイル１８２ｂの文字部分（すなわち、文字データ部ＷＤ）、２ページ目にファイル１８２ｂの画像部分（すなわち、画像データ部ＧＦ１、ＧＦ２）、３ページ目にファイル１８２ａを表示することが指定されている。部分表示条件取得部１４４は、部分表示条件の指定を受け付けると、ファイル識別子と、表示順序と共に、原稿の画像のうちの一部分を特定するための条件である部分表示条件を、表示順序情報１８５に記憶させる。
【００４２】
図６（Ｃ）は、表示制御部１４１によって行われるページ送りの一例を示している。図６（Ｂ）のような原稿データの指定が行われた場合、図４のステップＳ１２２において表示制御部１４１は、表示順序情報１８５から最初（１ページ目）に表示すべき原稿のファイル識別子と、部分表示条件（文字データ部ＷＤ）とを取得する。そして、ファイル識別子と、部分表示条件とに基づいて、原稿データの文字部分もしくは画像部分のうちの少なくとも一部についての画像投写処理を行う。原稿データの少なくとも一部について画像投写処理を行う方法については後述する。この結果、スクリーンＳＣには、ファイル１８２ｂの文字部分（文字データ部ＷＤ）のみが表示され、他の部分（画像データ部ＧＦ１、ＧＦ２）については表示されない。
【００４３】
図７は、画像投写処理の手順を示すフローチャートである。ステップＳ２１０において表示制御部１４１は、パラメーター取得部１４３から送信される調整パラメーターを取得する。ステップＳ２２０において表示制御部１４１は、紙白取得部１４２から送信される原稿ＦＤの紙白色を取得する。ステップＳ２３０において表示制御部１４１は、表示対象を取得する。具体的には、表示制御部１４１は、ファイル識別子により識別される原稿データファイル（以降「表示対象ファイル」とも呼ぶ。）と、指定がされている場合は部分表示条件とを取得する。
【００４４】
ステップＳ２４０において表示制御部１４１は、スクリーンＳＣに表示させる画像の表示領域ＡＲ（図１）を決定する。表示領域ＡＲの決定は、次のいずれかの情報に基づいて行う。
ｉ）表示対象ファイルに含まれる用紙サイズに関する情報。
ｉｉ）表示対象ファイルが印刷された際の用紙サイズに関する情報（ハードディスク１８０に格納されている印刷履歴１８４に含まれる。）。
例えば、上記の情報ｉ）における用紙サイズ情報が「Ａ４」であった場合、表示制御部１４１は、表示領域ＡＲはＡ４相当の領域を占める大きさ（２１０ｍｍ×２９７ｍｍ）であるものと決定する。
【００４５】
ステップＳ２５０において表示制御部１４１は、表示対象ファイルに対して以下に説明する種々の画像処理を行う。
【００４６】
ｉ）表示制御部１４１は、表示対象ファイルから表示すべき範囲の抽出を行う。例えば、表示制御部１４１は、表示対象ファイルから部分表示条件において指定された条件に従った一部分のみを抽出した抽出後のファイルを生成する。具体的には、表示制御部１４１は、表示対象ファイルに含まれる全てのオブジェクトについて、オブジェクトの属性を検出する。そして、表示制御部１４１は、検出した属性が部分表示条件で指定された条件に一致するオブジェクトのみを抽出することによって、抽出後のファイルを生成する。なお、オブジェクト属性による判断に代えて、利用者に表示範囲を指定させる構成を採用することも可能である。また、部分表示条件が指定されてない場合、本処理は省略可能である。
【００４７】
ｉｉ）表示制御部１４１は、抽出後のファイルの画像データから、実際にスクリーンＳＣ上に投写される画像データである投写画像データを生成する。具体的には、表示制御部１４１は、抽出後のファイルの画像データの解像度を調整することによって、画像データが実際にスクリーンＳＣ上に投写された際にステップＳ２４０において決定した表示領域ＡＲを占めるような投写画像データを生成する。なお、プロジェクター６０とスクリーンＳＣとの距離は、予め調整されているものとして説明を省略する。
【００４８】
ｉｉｉ）表示制御部１４１は、投写画像データに対して、ステップＳ２１０で取得した調整パラメーターで指定された値に基づいた画像処理（明るさ、コントラスト、表示サイズ（すなわち、表示領域ＡＲの大きさ）、表示位置の指定、表示方向の指定、カラーバランス調整、シャープネス、色補正）を行う。なお、表示制御部１４１は、画像の調整指示（図４：ステップＳ１４０）を検知していない場合、ステップＳ２１０の処理および前述の調整パラメーターに基づく画像処理は省略することができる。しかし、画像の調整指示を検知していない場合であっても、例えば、デフォルトの調整パラメーターに基づく画像処理を行うこととしてもよい。
【００４９】
ｉｖ）表示制御部１４１は、投写画像データに対して、紙白色に基づいたホワイトバランス調整を行う。このホワイトバランス調整は、例えば、表示対象ファイル中の各画素のＲＧＢ値に対して次式のような演算を行うことにより実現することができる。なお、次式において、R’は色補正後の値を、R paperは紙白色の値を、R maxはＲＧＢ値の最大値（２５５）を、Rは表示対象ファイル中の各画素におけるＲＧＢ値を示す。
【００５０】
【数１】
2011124828.tif 000003
【００５１】
ステップＳ２６０において表示制御部１４１は、表示対象ファイル中に含まれる変更履歴を取得する。この変更履歴は、表示対象ファイルの変更箇所に関する情報であって、例えば、ファイルにおける文字や画像といったオブジェクトの追加、削除についての情報や、オブジェクトの追加や削除を行ったユーザー名等が含まれる。ステップＳ２７０において表示制御部１４１は、ステップＳ２６０で取得した変更箇所に関する情報と、ステップＳ２５０で画像処理を行った投写画像データとを合成して、新たな投写画像データを生成する。この際、表示制御部１４１は、変更箇所に関する情報を示す部分の色を調整することにより、変更箇所に関する情報を示す部分がハイライト（強調）表示されるように投写画像データを合成する。なお、表示制御部１４１は、差分の表示指示（図４：ステップＳ１５０）を検知していない場合、ステップＳ２６０、Ｓ２７０の処理は省略することができる。
【００５２】
ステップＳ２８０において表示制御部１４１は、ステップＳ２５０（またはステップＳ２７０）の処理により生成された投写画像データから生成される画像信号を、ＲＧＢ端子等の画像出力インターフェースを介して、プロジェクター６０のアナログ画像信号入力部２１０へと出力する。これにより、作業台２０のスクリーンＳＣ上には、第２の原稿の画像が表示される。
【００５３】
図８は、画像表示装置１０を用いた検版の様子を示す説明図である。図８（Ａ）は、図６（Ｂ）で説明した原稿データの指定を行った場合に１ページ目としてスクリーンＳＣに表示される画像の例を示している。図８（Ａ）では、部分表示条件で指定されているように、ファイル１８２ｂの文字データ部ＷＤのみが表示されている。また、本実施例においては、第２の原稿の画像は、左辺中央部がスクリーンＳＣ上に仮想的に設けられる基点ＣＴに合うように配置される。なお、図示した基点ＣＴやレイアウトの方法は一例であり、任意の設定（例えば、スクリーンＳＣの中央と、第２の原稿の中央を合わせる等）を採用することができる。さらに、第２の原稿の表示領域ＡＲが例えば「Ａ４」であった場合、スクリーンＳＣに占める第２の原稿の表示領域ＡＲは、幅ＳＷが２９７ｍｍ、高さＳＨが２１０ｍｍとされる。
【００５４】
図８（Ｂ）は、第１の原稿としての原稿ＦＤの様子を示している。図８（Ｃ）は、検版が行われる様子を示している。画像表示装置１０の利用者は、図８（Ｃ）のように、第２の原稿の画像が表示されている領域に重ねて第１の原稿（原稿ＦＤ）を裁置し、矢印のように原稿ＦＤをパラパラとめくることで、あおりによる残像を利用して目視で文字や画像の誤りを確認することができる。したがって、第２の原稿の印刷を省略することができるため、検版における紙の使用量を削減することができるとともに、検版作業の効率化を図ることができる。
【００５５】
また、スクリーンＳＣに表示される第２の原稿の画像の表示領域ＡＲ（すなわち、第１の原稿が裁置される領域）は、第２の原稿データに含まれる用紙サイズに関する情報、もしくは、第２の原稿データを印刷した際の印刷履歴に含まれる印刷時の用紙サイズに関する情報のうちの少なくとも一方に基づいて決定される。従って、第２の原稿の画像の表示領域の指定操作や、調整操作を省略することができるため、画像表示装置１０を用いた検版作業における利便性を向上させることができる。
【００５６】
さらに、本実施例における画像表示装置１０では、原稿データの指定において部分表示条件を指定することもできる。部分表示条件を指定すれば、指定された部分表示条件に基づいて、スクリーンＳＣに第２の原稿の画像の文字部分もしくは画像部分のうちの少なくとも一部が表示される。従って、画像表示装置１０の利用者は、スクリーンＳＣに表示される原稿の一部の画像のみに注目して検版作業を行うことができ、視野が限定されることによる検版への集中力の向上を図ることができる。この結果、画像表示装置１０を用いた検版作業における利便性をさらに向上させることができる。また、例えば、文字部分の検版が得意な作業者と、画像部分の検版が得意な作業者とで検版作業を分担することも可能となり、検版作業を効率化することができる。
【００５７】
さらに、本実施例における画像表示装置１０では、第１の原稿の印刷用紙の色（紙白色）に基づいて、スクリーンＳＣに表示される画像のホワイトバランス調整が行われる。従って、第１の原稿の紙白色に合わせた第２の原稿の画像のホワイトバランス調整操作を省略することができるため、画像表示装置１０を用いた検版作業における利便性をさらに向上させることができる。
【００５８】
さらに、本実施例における画像表示装置１０では、第２の原稿の原稿データに含まれる原稿データの変更箇所に関する情報を取得し、スクリーンＳＣに第２の原稿の画像と併せて、変更箇所に関する情報がハイライト表示される。従って、画像表示装置１０の利用者は、変更箇所に関する情報を確認しながらの検版が可能となる。この結果、画像表示装置１０を用いた検版作業における利便性をさらに向上させることができる。
【００５９】
さらに、本実施例における画像表示装置１０では、画像を調整するための調整パラメーターを取得し、取得した調整パラメーターに基づいてスクリーンＳＣに表示される画像が調整される。この結果、画像表示装置１０を用いた検版作業における利便性をさらに向上させることができる。例えば、調整パラメーターにより、スクリーンＳＣに表示される画像の大きさを変更可能であるため、Ａ４サイズの原稿をＡ１サイズまで拡大して検版することや（視認性の向上）、Ａ１サイズの原稿をＡ４サイズまで縮小して検版すること（省スペース）も可能となる。
【００６０】
さらに、本発明における画像表示装置１０では、表示部としてスクリーンＳＣと、プロジェクター６０とを使用するため、画像表示装置１０を安価に提供することができる。
【００６１】
Ｂ．第２実施例：
本発明の第２実施例では、スクリーンＳＣ上に第２の原稿の画像の少なくとも一部の領域を選択して表示可能な構成を説明する。以下では、第１実施例と異なる構成および動作を有する部分についてのみ説明する。なお、図中において第１実施例と同様の構成や動作を有する部分については先に説明した第１実施例と同様の符号を付し、その詳細な説明を省略する。
【００６２】
図９は、本発明の第２実施例におけるＰＣ７０ａの構成を概略的に示す説明図である。図２に示した第１実施例との違いは、ＲＯＭ１４０ａ内部に表示領域条件取得部１４５を含んでいる点のみであり、他の構成は第１実施例と同様である。表示領域条件取得部１４５は、スクリーンＳＣに表示される第２の原稿の画像の表示領域の選択に関する条件（以降、「表示領域条件」とも呼ぶ。）を指定するために操作板５０から入力される値を取得する機能を有する。
【００６３】
図１０は、第２実施例における画像表示装置１０ａの処理の手順を示すフローチャートである。図４に示した第１実施例との違いは、ステップＳ３１０〜Ｓ３１２の処理と、ステップＳ３２０〜Ｓ３２２の処理が追加されている点のみであり、他の動作は第１実施例と同じである。ステップＳ３１０において表示制御部１４１は、領域指定があるか否かを判定する。領域指定の方法については後述する。
【００６４】
図１１は、第２実施例における領域指定方法（図１０：ステップＳ３１０）の一例を示す説明図である。ハードディスク１８０に格納されているファイル１８２の一例は、第１実施例における図５（Ａ）で説明したものと同様である。図１１（Ａ）は、ファイル１８２ｂの原稿データの一例を示す説明図である。図１１（Ａ）に示すように、ファイル１８２ｂは、１つのファイル内に８つのページ（以降、各ページを面Ｓａ〜Ｓｈとも呼ぶ。）が面付けされた原稿データである。
【００６５】
図１１（Ｂ）は、領域指定についての説明図である。画像表示装置１０ａの利用者は、操作板５０を操作することによって、表示すべきファイルと、ファイルの表示順序と、ファイル中の表示領域条件とを指定する。このうち、表示すべきファイルと、ファイルの表示順序とは、原稿データの指定（図１０：ステップＳ１２０）において行われる。利用者は、さらに、表示領域条件を指定する。表示領域条件とは、ファイル内における表示範囲の指定と、ファイル内における表示順序とを含む。図１１（Ｂ）の例では、表示領域条件の表示範囲として、範囲ＤＡ（図１１（Ａ））が指定されている。また、表示領域条件の表示順序として、順序ＳＯ（図１１（Ａ））が指定されている。すなわち、表示領域条件として、１ページ目の面１にファイル１８２ｂの面Ｓａ、１ページ目の面２にファイル１８２ｂの面Ｓｂ、１ページ目の面８にファイル１８２ｂの面Ｓｈ、２ページ目の面１にファイル１８２ａの面Ｓａを表示することが指定されている。このように、本実施例における表示領域条件は、原稿の画像のうちの一部の領域を特定するための条件である。
【００６６】
図１０のステップＳ３１１において表示領域条件取得部１４５は、上述のように指定された表示順序を表示順序情報１８５に記憶させる。そして、ステップＳ３１２において表示制御部１４１は、表示順序情報１８５から最初（１ページ目の面１）に表示すべき原稿のファイル識別子と、表示領域条件（面Ｓａ）とを取得する。そして、ファイル識別子と、表示領域条件とに基づいて、原稿データの少なくとも一部の領域についての画像投写処理を行う。原稿データの少なくとも一部の領域について画像投写処理を行う方法については後述する。
【００６７】
なお、図示は省略したが、第２実施例の画像投写処理（図７）では、表示制御部１４１はステップＳ２３０において、部分表示条件に代えて、表示領域条件を取得する。また、ステップＳ２５０の画像処理ｉ）では、表示制御部１４１は、表示対象ファイルから、表示領域条件において指定された条件に従った一部の領域のみを抽出した抽出後のファイルを生成する。この結果、スクリーンＳＣには、ファイル１８２ｂの一部の領域である面Ｓａのみが表示され、他の領域（面Ｓｂ〜Ｓｈ）については表示されない。
【００６８】
図１０のステップＳ３２０において表示制御部１４１は、面送り指示の有無を判定する。具体的には、表示制御部１４１は、ステップＳ１１０において検知した操作板５０への入力が、面送りを指示するものであるか否かを判定する。面送り指示がある場合、ステップＳ３２１において表示制御部１４１は、ハードディスク１８０に格納されている表示順序情報１８５を読み出す。そして、次に表示すべき原稿のファイル識別子と、表示領域条件とを取得する。次に、ステップＳ３２２において表示制御部１４１は、ステップＳ３２１で取得したファイル識別子と、表示領域条件とに基づいた原稿データの画像投写処理を行った後、ステップＳ１１０へ遷移する。図１１（Ｃ）は、このようにして行われる面送りと、ページ送りの一例を示している。
【００６９】
図１２は、第２実施例における画像表示装置１０ａを用いた検版の様子を示す説明図である。図１２（Ａ）は、図１１（Ｂ）で説明した原稿データの指定を行った場合に最初にスクリーンＳＣに表示される画像の例を示している。図１２（Ａ）では、表示領域条件で指定されているように、ファイル１８２ｂの面Ｓａのみが表示されている。図１２（Ｂ）は、第１の原稿としての原稿ＦＤの様子を示している。図１２（Ｃ）は、検版が行われる様子を示している。このように、第２実施例においても、第１実施例と同様の効果を得ることができる。また、第２実施例では、領域指定において、表示領域条件を指定することができる。表示領域条件を指定すれば、指定された表示領域条件に基づいて、スクリーンＳＣに第２の原稿の画像の少なくとも一部の領域が表示される。従って、画像表示装置１０の利用者は、スクリーンＳＣに表示される原稿の一部の画像のみに注目して検版作業を行うことができる。この結果、画像表示装置１０を用いた検版作業における利便性をさらに向上させることができる。
【００７０】
Ｃ．変形例：
なお、この発明は上記の実施例や実施形態に限られるものではなく、その要旨を逸脱しない範囲において種々の態様において実施することが可能であり、例えば次のような変形も可能である。
【００７１】
Ｃ１．変形例１：
上記実施例では、第２の原稿は、第１の原稿の修正後の原稿であるものとして記載した。しかし、第２の原稿は、第１の原稿の修正前の原稿であってもよい。
【００７２】
Ｃ２．変形例２：
上記第１実施例では、文字／画像という単位で部分表示条件を指定するものとして記載した（図６（Ｂ））。しかし、部分表示条件はファイル中に存在するオブジェクト単位（例えば、図６（Ａ）における文字データ部ＷＤ、画像データ部ＧＦ１、画像データ部ＧＦ２の単位）で指定するものとしてもよい。
【００７３】
Ｃ３．変形例３：
上記第２実施例では、範囲ＤＡはファイル中の１つの面をカバーする範囲であるものとして例示した（図１１（Ａ））。しかし、範囲ＤＡは任意に定めることが可能である。例えば、範囲ＤＡはファイル中の複数の面をカバーする範囲（例えば、図１１（Ａ）における面Ｓａ，Ｓｂ，Ｓｃ，Ｓｄ）であるものとしてもよいし、全ての面をカバーする範囲（例えば、図１１（Ａ）における全ての面）であるものとすることもできる。さらに、原稿データが、例えば、図６（Ａ）で説明したような形態の原稿データであっても（すなわち、ファイル中に複数のページを有さないデータであっても）、任意の範囲の範囲ＤＡを指定することが可能である。
【００７４】
Ｃ４．変形例４：
上記第１実施例では部分表示条件を指定可能な例を、上記第２実施例では表示領域条件を指定可能な例を説明した。しかし、この部分表示条件と、表示領域条件とを組み合わせて指定することも可能である。その場合、画像投写処理（図７）では、表示制御部１４１は、ステップＳ２３０において、部分表示条件と、表示領域条件の両方を取得する。また、ステップＳ２５０の画像処理ｉ）では、表示制御部１４１は、表示対象ファイルから、部分表示条件と表示領域条件において指定された条件に従った一部のみを抽出した抽出後のファイルを生成すればよい。
【００７５】
Ｃ５．変形例５：
上記実施例では、画像表示装置における各部の構成を例示した。しかし、上記実施例における画像表示装置の構成はあくまで一例であり、任意の形態を採用することができる。
【００７６】
例えば、画像表示装置の構成要素の一部を省略したり、画像表示装置に更なる構成要素を付加したりする変形が可能である。具体的には、例えば、ＰＣの構成要素の一部（例えば、ネットワークインターフェース）を削除することとしてもよいし、ＰＣが更なる構成要素（例えば、ＤＶＤドライブ等）を備えるものとしてもよい。また、プロジェクターについても同様である。
【００７７】
例えば、表示部としてのスクリーンと、プロジェクターとに代えて、プラズマディスプレイ (ＰＤＰ、 Ｐｌａｓｍａ Ｄｉｓｐｌａｙ Ｐａｎｅｌ)や、液晶ディスプレイ（ＬＣＤ、Ｌｉｑｕｉｄ Ｃｒｙｓｔａｌ Ｄｉｓｐｌａｙ）を用いてもよい。
【００７８】
例えば、上記実施例においてＰＣは、利用者が画像表示装置を操作するための操作画面をディスプレイに表示させるものとした。しかし、利用者が画像表示装置を操作するための操作画面を、プロジェクターを用いてスクリーンに表示させることも可能である。この場合、ディスプレイを省略可能な点において好ましい。
【００７９】
Ｃ６．変形例６：
上記実施例において、ハードウェアによって実現されるものとした構成の一部をソフトウェアに置き換えるようにしてもよく、逆に、ソフトウェアによって実現されるものとした構成の一部をハードウェアに置き換えるようにしてもよい。
【符号の説明】
【００８０】
１０,１０ａ…画像表示装置、２０…作業台、３０…カメラ、４０…ディスプレイ、５０…操作板、６０…プロジェクター、１１０…ディスプレイインターフェース、１２０…ＣＰＵ、１３０…シリアルインターフェース、１４１…表示制御部、１４２…紙白取得部、１４３…パラメーター取得部、１４４…部分表示条件取得部、１４５…表示領域条件取得部、１７０…ネットワークインターフェース、１８０…ハードディスク、１８２…ファイル、１８２ａ-ｃ…ファイル、１８４…印刷履歴、１８５…表示順序情報、２０５…ＣＰＵ、２０５ｂ…バス、２１０…アナログ画像信号入力部、２２０…画像処理部、２２５…フレームメモリー、２３０…液晶ライトバルブ駆動部、２３５…液晶ライトバルブ、２４５…ハードディスク、２５１…リーダー、２５５…リモコン信号処理部、２６０…メモリー媒体制御部、３００…照明光学系、３０５…投写光学系、４００…リモコン、ＤＡ…範囲、ＫＢ…キーボード、ＳＣ…スクリーン、ＦＤ…原稿、ＳＤ…画像表示データ、ＷＤ…文字データ部、ＡＦ…データファイル、ＳＯ…順序、ＡＲ…表示領域、ＭＳ…メモリー媒体、ＣＴ…基点、ＳＷ…幅、ＧＦ１…画像データ部、ＧＦ２…画像データ部、ＡＶ１…アナログ画像信号、ＤＶ１…デジタル画像データ、ＤＶ２…デジタル画像データ、ＭＯＵ…マウス
【図１】
2011124828.tif 000004
【図２】
2011124828.tif 000005
【図３】
2011124828.tif 000006
【図４】
2011124828.tif 000007
【図５】
2011124828.tif 000008
【図６】
2011124828.tif 000009
【図７】
2011124828.tif 000010
【図８】
2011124828.tif 000011
【図９】
2011124828.tif 000012
【図１０】
2011124828.tif 000013
【図１１】
2011124828.tif 000014
【図１２】
2011124828.tif 000015